(57)【要約】【課題】  本発明は、カラー陰極線管製造時の内蔵抵抗体の抵抗値初期変動及びカラー陰極線管実働時の抵抗値長期変動を低減させることができ、かつフォーカス電圧を供給する回路の構成を簡略化してコストを削減することができる電子銃及びその電子銃を備えたカラー陰極線管を提供するものである。【解決手段】  本発明の電子銃１８１は、第３電極Ｇ３とフォーカス電極Ｇ４Ｂと中間電極ＧＭ１、ＧＭ２と第５電極Ｇ５によって電界拡張レンズによる主電子レンズが構成されるユニポテンシャル型電子銃であって、内蔵抵抗体１０の一端をアノード電圧が印加される第３電極Ｇ３に接続し、内蔵抵抗体１０の分圧を中間電極ＧＭ１、ＧＭ２に印加して成ることを特徴とする。【選択図】        図２
2005203232.tif 000002
【特許請求の範囲】
【請求項１】
第３電極とフォーカス電極と中間電極と第５電極によって電界拡張レンズによる主電子レンズが構成されるユニポテンシャル型電子銃であって、
内蔵抵抗体の一端をアノード電圧が印加される前記第３電極に接続し、前記内蔵抵抗体の分圧を前記中間電極に印加して成る
ことを特徴とする電子銃。
【請求項２】
前記内蔵抵抗体の他端を前記フォーカス電極に接続して成る
ことを特徴とする請求項１記載の電子銃。
【請求項３】
前記フォーカス電極は、可変抵抗器を介して接地され、
前記フォーカス電極へのフォーカス電圧が前記内蔵抵抗体と前記可変抵抗器との抵抗分圧で供給されて成る
ことを特徴とする請求項２記載の電子銃。
【請求項４】
陰極線管体のパネル内部に蛍光面が形成され、該蛍光面に対向して色選別機構が配置され、前記陰極線管体のネック部にユニポテンシャル型電子銃を備えたカラー陰極線管であって、
前記ユニポテンシャル型電子銃は、第３電極とフォーカス電極と中間電極と第５電極によって電界拡張レンズによる主電子レンズを構成し内蔵抵抗体の一端をアノード電圧が印加される前記第３電極に接続し、前記内蔵抵抗体の分圧を前記中間電極に印加して成る
ことを特徴とするカラー陰極線管。
【請求項５】
前記電子銃における内蔵抵抗体の他端を前記フォーカス電極に接続して成る
ことを特徴とする請求項４記載のカラー陰極線管。
【請求項６】
前記電子銃における前記フォーカス電極は、可変抵抗器を介して接地され、前記フォーカス電極へのフォーカス電圧が前記内蔵抵抗体と前記可変抵抗器との抵抗分圧で供給されて成る
ことを特徴とする請求項５記載のカラー陰極線管。
【発明の詳細な説明】
【技術分野】
【０００１】
本発明は、例えば、コンピュータディスプレイ、テレビジョン受像機等の表示装置に用いる電子銃及びカラー陰極線管に関する。
【背景技術】
【０００２】
カラー陰極線管（ＣＲＴ）に用いられる電子銃としては、図４に示すように、電界拡張レンズによるユニポテンシャル型主電子レンズを有した、いわゆるユニポテンシャル型電子銃が知られている。この電子銃３１は、赤（Ｒ）、緑（Ｇ）及び青（Ｂ）に対応した３つのカソードＫ［ＫＲ、ＫＧ、ＫＢ］を備え、カソードＫからスクリーン（蛍光面）方向へ、同軸上に第１電極Ｇ１、第２電極Ｇ２、第３電極Ｇ３、中間電極ＧＭ１、フォーカス電極となる第４電極Ｇ４、中間電極ＧＭ２及び第５電極Ｇ５を順次配列して構成される。第４電極Ｇ４は、第４Ａ電極Ｇ４Ａ、第４Ｂ電極Ｇ４Ｂ、第４Ｃ電極Ｇ４Ｃに３分割されている。各電極Ｇ１〜Ｇ５には、３つのカソードＫＲ、ＫＧ、ＫＢに対応して夫々３つのビーム透過孔が形成されている。第５電極の後段には、第５電極Ｇ５と一体のシールドカップ３３が設けられている。また、各電極Ｇ１〜Ｇ５は１対の支持体（ビーディングガラス）により支持され、この支持体に沿うように、中間電極ＧＭに中間電圧ＶＭを供給するための内蔵抵抗体４０が配置される。
【０００３】
この電子銃３１では、動作時、３つのカソードＫＲ、ＫＧ及びＫＢには例えば２００Ｖ〜２０Ｖが供給され、第１電極Ｇ１には低電圧ＶＣ１、即ちＧＮＤ電位（０Ｖ）が供給され、第２電極Ｇ２には所要の低電圧ＶＣ２（例えば３００Ｖ〜９００Ｖ程度）が供給される。第４Ａ電極Ｇ４Ａと、第４Ｃ電極Ｇ５Ｃには、ダイナミックフォーカス電圧Ｖｆｄが供給され、第４Ｂ電極Ｇ４Ｂには、スタティック電圧Ｖｆｓ（例えば１０ｋＶ程度）が供給される。第３電極Ｇ３と第５電極Ｇ５は例えばリード線で接続され、アノード電圧ＨＶ（例えば３２ｋＶ程度）が供給される。さらに、中間電極ＧＭ１、ＧＭ２には、スタティックフォーカス電圧Ｖｆｓとアノード電圧ＨＶとの中間の電圧ＶM（例えば、１５ｋＶ〜２０ｋＶ、一例として１５ｋＶ）が供給される。中間電極ＧＭ１、ＧＭ２への中間電圧ＶＭは、内蔵抵抗体４０の分圧を介して供給される。内蔵抵抗体４０は、その一方の端子をアノード電圧が印加されるシールドカップ３３に接続し、他方の端子をＧＮＤに接地されるようになされる。第５電極Ｇ５へのアノード電圧ＨＶは、アノードボタンよりファンネルカーボン膜、接触子を介して供給される。
【０００４】
ここで、内蔵抵抗体４０は、図４に示すようにカソードＫ〜第５電極Ｇ５の全長にわたって配置される。抵抗体パターン４１は、カソードＫから第３電極Ｇ３の１／３程度までの間の抵抗パターン４１ａと、第５電極Ｇ５から第４Ｂ電極Ｇ４Ｂまでの間の抵抗パターン４１ｂと、量抵抗分４１ａ及び４１ｂを結ぶ直線分４１ｃとを有するパターンに形成される。内蔵抵抗体４０は、セラミック基板上に上記抵抗体パターン４１を形成し、接続端子部分を除いて抵抗体パターン４１を例えばガラスによる保護膜にて被覆して構成される。
【０００５】
また、第３電極Ｇ３、中間電極ＧＭ１、フォーカス電極Ｇ４、中間電極ＧＭ２及び第５電極Ｇ５によってユニポテンシャル型の主電子レンズが形成される。この主電子レンズは、中間電極ＧＭ１、ＧＭ２を有することによって、電界拡張レンズとなる。第４Ａ電極Ｇ４Ａ、第４Ｂ電極Ｇ４Ｂ及び第４Ｃ電極Ｇ４Ｃでビームスポットの偏向歪みを補正するための静電四重極レンズが形成される。
【０００６】
この静電四重極レンズによって、カラー陰極線管の画面周辺部におけるスポット形状を横長形状から円形状に近づけることができ、電子ビームの偏向によるスポットサイズ劣化を抑制することができる。さらに、電界拡張レンズを形成することで、主電子レンズ部において球面収差係数を小さくし、電子ビームへの影響を小さくすることができる。
【０００７】
従来、内蔵抵抗体の中間電位をフォーカス電極に与え、内蔵抵抗体の接地側を可変抵抗を通じて取り出すようにした陰極線管用電子銃は、すでに提案されている（例えば特許文献１参照）。
【特許文献１】特開平０７−１５３３８８号公報
【発明の開示】
【発明が解決しようとする課題】
【０００８】
通常、内蔵抵抗体４０は、前述したように第５電極Ｇ５側からアノード電圧ＨＶが供給され、中間電圧ＧＭ１、ＧＭ２に中圧（１５ｋＶ〜２０ｋＶ）を分圧し、ステム側のＧＮＤへと結線されている。このときの分圧比率は、
中間電位ＶM＝アノード電位ＨＶ×分割比α（％）
分割比α（％）＝分割抵抗値Ｒｍ１（Ω）÷全抵抗値Ｒｔ（Ω）×１００  となる。
カラー陰極線管製造時の工程では、実動時の２倍以上のアノード電圧を供給して各電極間のバリやゴミを取り除く強制放電工程（いわゆる、ノッキング工程）がある。このときアノード電圧が印加される第３電極Ｇ３に対向するネックガラス内壁は、第３電極Ｇ３と同電位近くまでシャーアップされる。このとき、抵抗パターン４１とチャージアップされたネックガラス内壁との間で放電が発生し抵抗体に損傷を与える電位差（例えば４０ｋＶ以上）が発生し、両者の間で放電が発生してしまい内蔵抵抗体の抵抗体を損傷するおそれがある。この損傷により抵抗値Ｒｔ（Ω）が変化するため分割比αが所定の値から変動してしまう。これがカラー陰極線管製造時における抵抗値及び分割比の初期変動となる。
また、内蔵抵抗体４０は、カソードＫ付近まで存在しているため、カラー陰極線管実動時にカソードＫ部のヒーターからの放射熱（輻射熱）３５と、内蔵抵抗体４０が通電されることによる自らの発熱により、内蔵抵抗体４０の抵抗パターン４１ａ（特に領域３６）が劣化して全抵抗値Ｒｔが変動してしまう。この抵抗値Ｒｔの変動の度合いは、ヒーター付近の抵抗パターンの領域３６の劣化が大きいため、結果的に分割比αが所定の値から変動してしまう。これがカラー陰極線管実動時における抵抗値及び分割比の長期変動を生じる。
【０００９】
上述の抵抗値及び分割比との変動を図３（ａ）を用いて説明する。図３（ａ）は、図４に示す従来の電子銃の用いた電位勾配図を示す。縦軸に電圧、横軸に電極Ｇ３から第５電極Ｇ５の各電極を示す。破線Ｎ１はノッキング時の内蔵抵抗体の電位勾配、実線Ｗ１は実動時の内蔵抵抗体の電位勾配である。
先ず、実動時の内蔵抵抗体の電位勾配Ｗ１は、内蔵抵抗体４０の抵抗パターン４１ｂの一端である第５電極Ｇ５側すなわちアノード電圧（例えば、３２ｋＶ）を始点に、抵抗パターン４１ａの他端である第４Ｂ電極Ｇ４Ｂ側に向って中間電圧ＶM（例えば、１５ｋＶ）まで漸次に低下した後、第３電極Ｇ３の内部まで中間電極（例えば、１５ｋＶ）で一定となり、次に抵抗パターン４１ａが位置している第３電極Ｇ３の内部から抵抗パターン４１ｂの一端の０Ｖまでさらに電圧降下する。
次に、ノッキング時の内蔵抵抗体電位勾配Ｎ１は、内蔵抵抗体４０の抵抗パターン４１ｂの一端である第５電極Ｇ５側すなわちアノード電圧（例えば、７０ｋＶ）を始点に、抵抗パターン４１ｂの他端である第４Ｂ電極Ｇ４Ｂ側に向って分圧（例えば、３３ｋＶ）まで漸次に低下した後、第３電極Ｇ３の内部まで分圧（例えば、３３ｋＶ）で一定となり、次に抵抗パターン４１ａが位置する第３電極Ｇ３の内部から抵抗パターン４１ｂの一端の０Ｖまでさらに電圧降下する。このとき、抵抗パターン４１ａの第３電極Ｇ３の端部の電圧は、例えば２３ｋＶあり、第３電極Ｇ３の電圧（例えば、７０ｋＶ）との間に、抵抗パターンとチャージアップされたネックガラス内壁との間で放電が発生し抵抗体に損傷を与える電位差（例えば４０ｋＶ以上）を生じている。このため、ネックガラス内壁のチャージアップ部分と抵抗パターン４１ａとの間で放電が生じて内蔵抵抗体４０の抵抗値を変動させるおそれがあった。さらに、抵抗パターン４１ａがカソードＫに隣接しているため、カソードＫが発する放射熱で抵抗パターン４１ａにダメージを与え内蔵抵抗体４０の全抵抗Ｒｔに変動を生じていた。
この抵抗値及び分割比の変動によって結果的にカラー陰極線管の画質の劣化を引き起こすおそれがあった。
【００１０】
本発明は、上述の点に鑑み、カラー陰極線管製造時の内蔵抵抗体の抵抗値初期変動及びカラー陰極線管実働時の抵抗値長期変動を低減させることができ、かつフォーカス電圧を供給する回路の構成を簡略化してコストを削減することができる電子銃及びその電子銃を備えたカラー陰極線管を提供するものである。
【課題を解決するための手段】
【００１１】
本発明の電子銃は、第３電極とフォーカス電極と中間電極と第５電極によって電界拡張レンズによる主電子レンズが構成されるユニポテンシャル型電子銃であって、内蔵抵抗体の一端をアノード電圧が印加される第３電極に接続し、内蔵抵抗体の分圧を前記中間電極に印加して成ることを特徴とする。
【００１２】
本発明の電子銃は、内蔵抵抗体の他端を前記フォーカス電極に接続して成ることが好ましい。
本発明の電子銃は、フォーカス電極は、可変抵抗器を介して接地され、フォーカス電極へのフォーカス電圧が前記内蔵抵抗体と前記可変抵抗器との抵抗分圧で供給されて成ることが好ましい。
【００１３】
本発明のカラー陰極線管は、陰極線管体のパネル内部に蛍光面が形成され、この蛍光面に対向して色選別機構が配置され、陰極線管体のネック部にユニポテンシャル型電子銃を備えたカラー陰極線管であって、ユニポテンシャル型電子銃は、第３電極とフォーカス電極と中間電極と第５電極によって電界拡張レンズによる主電子レンズを構成し内蔵抵抗体の一端をアノード電圧が印加される第３電極に接続し、内蔵抵抗体の分圧を中間電極に印加して成ることを特徴とする。
【００１４】
本発明のカラー陰極線管は、電子銃における内蔵抵抗体の他端をフォーカス電極に接続して成ることが好ましい。
本発明のカラー陰極線管は、電子銃におけるフォーカス電極は、可変抵抗器を介して接地され、フォーカス電極へのフォーカス電圧が内蔵抵抗体と可変抵抗器との抵抗分圧で供給されて成ることが好ましい。
【００１５】
本発明の電子銃では、内蔵抵抗体の一端をアノード電位の第３電極に接続し、内蔵抵抗体の分圧を中間電極に印加する構成であるので、実質的に内蔵抵抗体がカソードから離れる。これによって、カラー陰極線管の実働時にカソードヒータの放射熱による内蔵抵抗体の劣化がなく、抵抗値の長期変動が抑えられる。また、内蔵抵抗体の他端がフォーカス電極に接続されるので、カラー陰極線管の製造時の強制放電工程において、内蔵抵抗体の抵抗電位勾配がアノード電位とフォーナス電位間の勾配となる。即ち、低電位側が従来の０Ｖからフォーカス電位に上昇するので、第３電極に対応したネックガラス内壁のチャージアップ電位と内蔵抵抗体の抵抗電位間の電位差が従来より低く抑えられ、両者間の放電が抑えられ内蔵抵抗体を損傷することがない。
【００１６】
本発明のカラー陰極線管では、上記電子銃を備えるので、実働時にカソードヒータからの放射熱で内蔵抵抗体が劣化することがなく、抵抗値の長期変動が抑えられ、長期にわたり中間電極への適正な電位を供給できる。また、製造時の強制放電工程では、第３電極に対応するチャージアップされたネックガラス内壁と内蔵抵抗体間の電位差が低く抑えられ、両者間の放電が抑えられるので、初期変動による内蔵抵抗体の損傷がなく長期にわたり中間電極への適正な電位を供給できる。
また、フォーカス電極に対しては、内蔵抵抗体からフォーカス電圧が供給されるので、従来に比べて回路構成が簡単になる。
【発明の効果】
【００１７】
本発明の電子銃によれば、カラー陰極線管製造時の放電による内蔵抵抗体の損傷が低減され、抵抗値及び分割比の初期変動を抑えることができる。カラー陰極線管実働時、カソードヒータからの放射熱による内蔵抵抗体の劣化がなくなり、抵抗値及び分割比の長期変動を抑えることができる。よって、カラー陰極線管に適用したときに、画質の劣化がなくなり、カラー陰極線管の信頼性を向上することができる。
本発明の電子銃をカラー陰極線管に適用した場合、従来、例えばフライバックトランスを介してステム側から供給していたフォーカス電圧をアノード電圧からの分圧で供給できるため、回路構成の簡略化が図られ、コスト削減を可能にする。
【００１８】
本発明のカラー陰極線管によれば、上記電子銃を備えることにより、カラー陰極線管製造時及びカラー陰極線管実動時の抵抗値変動を抑えることが可能となり、カラー陰極線管歩留り向上及び画質劣化を抑えて長期信頼性を向上することができる。また、フォーカス電圧をアノード電圧からの分圧で供給できるため、回路の構成を簡略化することができ、コストを削減することができる。
【発明を実施するための最良の形態】
【００１９】
以下、図面を参照して本発明の実施の形態を説明する。
図１は、本発明に係るカラー陰極線管の一実施の形態を示す。本実施の形態に係るカラー陰極線管１１は、パネル１２とファンネル１３とネック１４とからなる陰極線管体（ガラス管体）１５を有し、パネル１２の内面にカラー蛍光面１６を形成すると共に、カラー蛍光面１６に対向して色選別機構１７を配置し、ネック１４内の本発明による電子銃１８を配置して構成される。この陰極線管１１では、電子銃１８から出射した赤（Ｒ）、緑（Ｇ）及び青（Ｂ）に対応した３つの電子ビームＢ［ＢＲ、ＢＧ、ＢＢ］が色選別機構１７を透過してカラー蛍光面１６上に照射され、該電子ビームＢＲ、ＢＧ、ＢＢが偏向ヨーク１９にて水平、垂直方向に走査さえて所要のカラー画像を表示するようになされる。
【００２０】
図２は、上記カラー陰極線管１１に適用される本発明に係る電子銃の一実施の形態を示す。本実施の形態に係る電子銃１８１は、ユニポテンシャル型の電子銃であって、赤（Ｒ）、緑（Ｇ）及び青（Ｂ）に対応した３つのカソードＫ［ＫＲ、ＫＧ、ＫＢ］を備え、カソードＫからスクリーン（蛍光面）方向へ、同軸上に第１電極Ｇ１、第２電極Ｇ２、第３電極Ｇ３、中間電極ＧＭ１、フォーカス電極となる第４電極Ｇ４、中間電極ＧＭ２及び第５電極Ｇ５を順次配列して構成される。第４電極Ｇ４は、第４Ａ電極Ｇ４Ａ、第４Ｂ電極Ｇ４Ｂ、第４Ｃ電極Ｇ４Ｃに３分割されている。各電極Ｇ１〜Ｇ５には、３つのカソードＫＲ、ＫＧ、ＫＢに対応して夫々３つのビーム透過孔が形成されている。第５電極の後段には、第５電極Ｇ５と一体のシールドカップ３が設けられている。また、各電極Ｇ１〜Ｇ５は１対の支持体（ビーディングガラス）により支持され、この支持体に沿うように、中間電極ＧＭに中間電圧ＶＭを供給するための内蔵抵抗体１０が配置される。
【００２１】
この電子銃１８１では、動作時、３つのカソードＫＲ、ＫＧ及びＫＢには例えば２００Ｖ〜２０Ｖが供給され、第１電極Ｇ１には低電圧ＶＣ１、即ちＧＮＤ電位（０Ｖ）が供給され、第２電極Ｇ２には所要の低電圧ＶＣ２（例えば３００Ｖ〜９００Ｖ程度）が供給される。第４Ａ電極Ｇ４Ａと、第４Ｃ電極Ｇ４Ｃには、ダイナミックフォーカス電圧Ｖｆｄが供給され、第４Ｂ電極Ｇ４Ｂには、スタティック電圧Ｖｆｓ（例えば９ｋＶ程度）が供給される。第３電極Ｇ３と第５電極Ｇ５は例えばリード線で接続され、アノード電圧ＨＶ（例えば３２ｋＶ程度）が供給される。さらに、中間電極ＧＭ１、ＧＭ２には、スタティックフォーカス電圧Ｖｆｓとアノード電圧ＨＶとの中間の電圧ＶＭ（例えば、１５ｋＶ〜２０ｋＶ、一例として１６ｋＶ）が供給される。中間電極ＧＭ１とＧＭ２への中間電圧ＶＭは、後述のように内蔵抵抗体１０の分圧を介して供給される。第５電極Ｇ５へのアノード電圧ＨＶ（例えば、３２ｋＶ）は、アノードボタンよりファンネルカーボン膜、接触子を介して供給される。
【００２２】
第３電極Ｇ３、中間電極ＧＭ１、フォーカス電極Ｇ４、中間電極ＧＭ２及び第５電極Ｇ５によってユニポテンシャル型の主電子レンズが形成される。この主電子レンズは、中間電極ＧＭ１、ＧＭ２を有することによって、電界拡張レンズとなる。第４Ａ電極Ｇ４Ａ、第４Ｂ電極Ｇ４Ｂ及び第４Ｃ電極Ｇ４Ｃでビームスポットの偏向歪みを補正するための静電四重極レンズが形成される。
【００２３】
静電四重極レンズによって、カラー陰極線管の画面周辺部におけるスポット形状を横長形状から円形状に近づけることができ、電子ビームの偏向によるスポットサイズ劣化を抑制することができる。さらに、電界拡張レンズを形成することで、主電子レンズ部において球面収差係数を小さくし。電子ビームへの影響を小さくすることができる。
【００２４】
そして、本実施の形態においては、特に図２に示すように、内蔵抵抗体１０が従来より短く、即ちカソード付近に存在しないように第３電極Ｇ３から第４Ｂ電極Ｇ４Ｂに至る短い全長で形成される。内蔵抵抗体１０は、通常と同様に例えばセラミックよりなる絶縁基板上に抵抗パターン４ａと抵抗パターン４ｂと両者を結ぶ接続パターン４ｃとからなる抵抗体パターンを形成し、接続端子部を残して抵抗体パターンを被覆するように例えばガラスによる保護膜で全体を被覆して構成される。
この内蔵抵抗体１０は、カソードＫから離れて第３電極Ｇ３から第４Ｂ電極Ｇ4Ｂに渡って配置される。内蔵抵抗体１０は、その抵抗パターン４ａの一端がアノード電位ＨＶの第３電極Ｇ３に接続され、その抵抗パターン４ｂの他端がスタティックフォーカス電位Ｖｆｓの第４Ｂ電極Ｇ４Ｂに接続され、また、中間電圧ＶＭが得られる所要の分圧端子、即ち接続パターン４ｃが中間電極ＧＭ１，ＧＭ２に接続され、中間電極ＧＭ１，ＧＭ２にアノード電位×分割比α（但し、分割比α（％）＝分割抵抗値Ｒｍ２（Ω）÷全抵抗値Ｒｔ０×１００）の中間電圧ＶＭが供給される。さらに、第４Ｂ電極Ｇ４Ｂは、管体外部の可変抵抗器２に接続され、アノード電圧ＨＶが供給された内蔵抵抗体１０と接地側の可変抵抗器２との分圧で、所要のスタティックフォーカス電圧Ｖｆｓが供給されるようになされる。
【００２５】
本実施の形態では、このような構成をとることにより、図３（ｂ）に示すように、カラー陰極線管の製造時の強制放電工程（ノッキング工程）での第３電極Ｇ３と同電位にチャージアップしたネックガラス内壁と内蔵抵抗体１０間の放電を抑制することができる。
【００２６】
図３（ｂ）は、本実施の形態の電子銃１８１による電位勾配図を示す。縦軸に電圧、横軸に第３電極から第７電極の各電極を示す。
破線Ｎ２は、ノッキング時の内蔵抵抗体１０の電位勾配、実線Ｗ２は、実動時の内蔵抵抗体１０の電位勾配である。先ず、実動時の内蔵抵抗体１０の電位勾配Ｗ２は、内蔵抵抗体１０の抵抗パターン４ａの一端である第３電極Ｇ３側すなわちアノード電圧ＨＶ（例えば、３２ｋＶ）を始点に、抵抗パターン４ａの他端である、中間電極ＧＭ１側に向って中間電圧ＶＭ（例えば、１６ｋＶ）まで漸次に低下した後、中間電極ＧＭ１の端部から内部まで（例えば、１６ｋＶ）で一定となり、次に抵抗パターン４ｂが位置している中間電極ＧＭ１の内部から抵抗パターン４ｂの他端のフォーカス電圧Ｖｆｓ、（例えば、９ｋＶ）までさらに電圧降下する。
次に、ノッキング時内蔵抵抗体電位勾配Ｎ２は、内蔵抵抗体１０の抵抗パターン４ａの一端である第３電極Ｇ３側すなわちアノード電圧（例えば、７０ｋＶ）を始点に、抵抗パターン４ａの他端である中間電極ＧＭ１側に向って分圧ＶＭ（例えば、３５ｋＶ）まで漸次に低下した後、中間電極ＧＭ１の端部から内部まで分圧（例えば、３３ｋＶ）で一定となり、次に抵抗パターン４ｂに位置する中間電極ＧＭ１の内部から抵抗パターン４ｂの他端の第４Ｂ電極Ｇ４Ｂの電圧（例えば、１８ｋＶ）までさらに電圧降下する。このとき、抵パターン４ａの第３電極Ｇ３の端部の電圧は例えば３５ｋＶあり、第３電極Ｇ３の電圧（例えば、７０ｋＶ）との間の、抵抗パターンとチャージアップされたネックガラス内壁との間で放電が発生し抵抗体に損傷を与える電位差は例えば４０ｋＶ未満で収まる。このため第３電極Ｇ３と同電位にチャージアップされたネックガラス内壁と内蔵抵抗体との間での放電を抑えることができ内蔵抵抗体の抵抗値の変動を抑えることができる。さらに、抵抗パターン４ａがカソードＫから離れることで、カソードヒータが発する放射熱による抵抗体パターン４ａへのダメージが抑えられ、内蔵抵抗体１０の全抵抗Ｒｔ０の変動を抑えることができる。
【００２７】
本実施の形態に係るユニポテンシャル型の電子銃１８１によれば、内蔵抵抗体１０が、カソード付近に存在しなくなり、カソードヒータの放射熱による抵抗体劣化がなくなるため、カラー陰極線管実動時における抵抗値及び分割比の長期変動が低減される。
また、内蔵抵抗体１０の一端はアノード電位ＨＶであり、他端はスタティックフォーカス電位Ｖｆｓであるので、カラー陰極線管製造時の強制放電工程においてチャージアップされたネックガラス内壁と内蔵抵抗体１０との間の電位差は従来よりも低く抑えることができる。これにより両者間の放電による抵抗体の損傷も抑えられるため、カラー陰極線管製造時における抵抗値及び分割比の長期変動が低減される。
さらに、第４Ｂ電極Ｇ４Ｂへのスタティックフォーカス電圧Ｖｆｓの供給が外部の可変抵抗器２により内蔵抵抗体から供給できるため、回路の構成を簡略化することができ、コスト削減を可能にする。
【００２８】
本実施の形態に係るカラー陰極線管によれば、上記のユニポテンシャル型の電子銃を備えることにより、内蔵抵抗体１０の抵抗値及び分割比の長期変動が抑えられ、長期に安定して動作可能となる。したがって、画質のよい信頼性の高いカラー陰極線管を提供することができる。
【図面の簡単な説明】
【００２９】
【図１】本発明に係る電子銃の構成図を示す。
【図２】本発明に係るカラー陰極線管の構成図を示す。
【図３】Ａ  従来の電子銃の電位勾配図を示す。            Ｂ  本発明に係る電子銃の電位勾配図を示す。
【図４】従来の電子銃の構成図を示す。
【符号の説明】
【００３０】
２・・可変抵抗器、３・・シールドカップ、４・・抵抗パターン、１０・・内蔵抵抗体、１１・・カラー陰極線管、１２・・パネル、１３・・ファンネル、１４・・ネック、１５・・陰極線管体、１６・・カラー蛍光面、１７・・色選別機構、３１・・電子銃、３３・・シールドカップ、３５・・放射熱、３６・・領域、４０・・内蔵抵抗体、４１・・抵抗パターン、１８１・・電子銃
【図１】
2005203232.tif 000003
【図２】
2005203232.tif 000004
【図３】
2005203232.tif 000005
【図４】
2005203232.tif 000006